(57)【特許請求の範囲】
【請求項１】
喫煙用具を含むパケット（１）又はカートンと、前記パケット（１）又はカートンの周囲に巻き付けられ外ラッパー（３）を形成する包装材シート（２）と、ユーザによって摘むことができ前記パケット（１）から前記外ラッパー（３）を少なくとも部分的に分離するよう設計された、プルタブ（８）を備えた引き裂き要素（５）とを有した、喫煙用具、特にタバコのためのパッケージであって、
前記引き裂き要素（５）は、前記プルタブ（８）が位置する端縁部又は側面（６’）を有し、かつ、前記プルタブ（８）を省いて前記外ラッパー（３）に結合されたラベル（６）であり、前記ラベル（６）は前記包装材シート（２）の一部分に貼り付けられ、包装材シート（２）の長さと幅の一部分にわたって延び、
前記包装材シート（２）には、前記プルタブ（８）の近傍で収斂すると共に、ユーザによって前記ラベル（６）が摘んで引っ張られた際に前記ラッパー（３）を引き裂くための少なくとも１つの破断開始点を形成するように設計された、少なくとも１つの切開部（１１）が設けられ、
前記少なくとも１つの切開部（１１）が、前記ラベル（６）の前記端縁部又は側面（６’）のプロフィールを倣うプロフィールを有するように、前記プルタブ（８）を形成する前記ラベル（６）の前記端縁部又は側面（６’）に沿って走っており、前記切開部（１１）は前記ラベル（６）によって完全に覆われている、パッケージ。
【請求項２】
前記ラッパー（３）は複数の壁によって形成され、前記ラベル（６）はラッパー（３）の１つだけの壁（Ｆ）に付着していることを特徴とする請求項１に記載のパッケージ。
【請求項３】
前記ラッパー（３）は複数の壁によって形成され、前記ラベル（６）は連続したラッパー（３）の２つだけの壁に付着していることを特徴とする請求項１に記載のパッケージ。
【請求項４】
前記ラッパー（３）は複数の壁によって形成され、前記ラベル（６）は組になって連続したラッパー（３）の３つだけの壁（Ｆ，Ｌ）に付着していることを特徴とする請求項１に記載のパッケージ。
【請求項５】
前記ラベル（６）は接着剤によって前記ラッパー（３）に接合され、ラベル（６）は粘着ラベルであることを特徴とする請求項１〜４のいずれか一項に記載のパッケージ。
【請求項６】
前記ラベル（６）はヒートシールによって前記ラッパー（３）に接合されていることを特徴とする請求項１〜４のいずれか一項に記載のパッケージ。
【請求項７】
前記ラベル（６）は前記ラッパー（３）の外側面に接合されていること特徴とする請求項１〜６のいずれか一項に記載のパッケージ。
【請求項８】
前記切開部（１１）は貫通スリットによって形成されることを特徴とする請求項１〜７のいずれか一項に記載のパッケージ。
【請求項９】
前記ラベル（６）は，２組の端部において互いに対して結合された２つの略円弧状対向端縁部によって境界が定められていることを特徴とする請求項１〜８のいずれか一項に記載のパッケージ。
【請求項１０】
前記ラベル（６）は多角形の形状であることを特徴とする請求項１〜８のいずれか一項に記載のパッケージ。
【請求項１１】
前記ラベル（６）は実質的に三角形の形状であり、前記プルタブ（８）はその三角形の頂点から延びていることを特徴とする請求項１０に記載のパッケージ。
【請求項１２】
前記ラベル（６）は、ラベル（６）を引き裂く方向に対して横断する方向に沿って、前記ラッパー（３）の大きな壁の端縁部から端縁部へと実質的に延びることを特徴とする請求項１〜１１のいずれか一項に記載のパッケージ。
【請求項１３】
前記外ラッパー（３）は、透明なヒートシール材から作られ、前記引き裂き要素（５）は、前記パケット（１）を使用開始するに先立ってユーザが前記外ラッパー（３）を容易にかつ完全に取り除くように前記外ラッパー（３）の実質的な部分を引き裂くように構成されていることを特徴とする請求項１〜１２のいずれか一項に記載のパッケージ。
【請求項１４】
請求項１〜１３に記載の、喫煙用具、特にタバコのためのパッケージを製造する方法において、
前記方法は、少なくとも、
第１のロール（１３）からラベル貼り装置（１５）へと、連続した複数ラベル（６）を支持するウェブ（７）を供給する工程と、
第２のロール（１４）から包装材のウェブ（４）を供給し、それより複数の包装材シート（２）を獲得する工程と、
前記ウェブ（７）から、各々が引き裂き要素（５）を定めるようなラベル（６）を分離する工程と、
ラベル貼り装置（１５）を用いて包装材ウェブ（４）に対して、連続的かつ等間隔的にラベル（６）を、前記包装材シート（２）の長さの一部分と幅の一部分とにわたって延びるウェブ（４）領域に貼り付ける工程と、
ラベル（６）を備えた前記包装材ウェブ（４）を切断することで、各引き裂き要素（５）を備えると共に喫煙用具の各パケット（１）又はカートンの周りに巻き付けられるように設計された一連の包装材シート（２）を獲得する工程と、
前記包装材シート（２）を包装装置（１８）へと供給する工程と、
前記包装装置（１８）に、未包装の喫煙用具パケット（１）又はカートンを供給する工程と、
包装装置（１８）を用いて各喫煙用具パケット（１）又はカートンの周りに包装材シート（２）を巻き付ける工程とを有することを特徴とするパッケージ製造方法。
【請求項１５】
請求項１〜１３に記載の、喫煙用具、特にタバコのためのパッケージを製造する方法において、
前記方法は、少なくとも、
第１のロールから粘着性ウェブ又は部分粘着性ウェブを供給する工程と、
第２のロール（１４）から包装材のウェブ（４）を供給する工程と、
前記粘着性ウェブ又は部分粘着性ウェブを切断して、各々が引き裂き要素（５）を定めるような複数のラベル（６）を獲得する工程と、
包装材ウェブ（４）に対して、連続的かつ等間隔的にラベル（６）を、前記包装材シート（２）の長さの一部分と幅の一部分とにわたって延びるウェブ（４）の領域に貼り付ける工程と、
ラベル（６）を備えた前記包装材ウェブ（４）を切断することで、各引き裂き要素（５）を備えると共に喫煙用具の各パケット（１）又はカートンの周りに巻き付けられるように設計された一連の包装材シート（２）を獲得する工程と、
前記包装材シート（２）を包装装置（１８）へと供給する工程と、
前記包装装置（１８）に、未包装の喫煙用具パケット（１）又はカートンを供給する工程と、
包装装置（１８）を用いて各喫煙用具パケット（１）又はカートンの周りに包装材シート（２）を巻き付ける工程とを有することを特徴とするパッケージ製造方法。
【発明の詳細な説明】
【技術分野】
【０００１】
本発明は喫煙用具、特にタバコのパッケージに関し、更にそのパッケージを製造するための方法に関する。
【０００２】
より具体的に言えば、本発明は、タバコのパケット又はタバコパケットのカートンの周りに包装紙を巻き付けることによって作られるパッケージに関する。
【背景技術】
【０００３】
よく知られているように、タバコのパケットには、通常、熱収縮材料の場合もあるような透明材料から作られる、一般的に“オーバーラップ材”と呼ばれる保護用外ラッパーが設けられている。
【０００４】
通常、そのオーバーラップ材はポリプロピレンからなる。
【０００５】
ある包装機は、パケットの周りにオーバーラップ材を包んだ後、それが熱収縮材料の場合にはそれを加熱し、パケットの外壁にそれを良好な状態で接着させるようにしている。
【０００６】
外ラッパーには通常、開封テープとして知られる狭いテープがあり、それはパケットを開けるにあたって外ラッパーを迅速かつ容易に引き裂くために使用することができる。
【０００７】
外ラッパーを作るため、引き裂きテープはロールから連続して引き出され、ヒートシールや接着によって、連続的或いは間欠的に供給されるオーバーラップ材のウェブに貼り付けられる。パッケージの開放を容易にするために、夫々が引き裂きテープ上に位置して引き裂きテープの摘み端（自由端）を作るのに役立つ、一連のＵ字形切開部がオーバーラップ材上に作られる場合もある。切開部が作られた後、或いはそれと同時に、引き裂きテープに結合されたオーバーラッピング材のウェブは、包装機へと供給されかつ上記外ラッパーを定める長さへと切断される。
【０００８】
例えばヒンジ蓋付きタバコパケットの場合、引き裂きテープを引っ張った際には、外ラッパーがパケットと外ラッパーの縦方向の延びを横切る方向に沿って切断されるように、パッケージ完成時点では、引裂きテープは、外ラッパーの内側面上であってかつパケットの一端の周囲に沿った位置に配置される。これらのパケットでは、外ラッパーを２つの部分、即ち、パケットの上端周りに巻き付けられる小部分と、パケット本体に巻き付けられる大部分とに分割するように、引き裂きテープはパケットの上端に配置されている。
【０００９】
タバコパケットのカートン、特にタバコパケットと同じ形状を持つカートンの場合も又、外ラッパーを小部分と大部分に分割するべく、引き裂きテープは往々にしてカートンの一端に配置されている。
【００１０】
一旦、外ラッパーが引き裂きテープと共に引き裂かれたならば、外ラッパーの２つの部分は、多くの場合、完全除去を可能にするために更に引き裂かれなければならない。しかしながら完全除去は必ずしも容易なものではない。何故なら、上述したように、熱収縮によってパッケージの外壁に付着した状態で作られるオーバーラップ材は、パッケージに非常に密接に付着しているために、その除去は問題になる可能性があるからである。
【００１１】
この問題は、除去対象となるラッパー部分が大きな部分である場合、特に顕著なものとなる。
【００１２】
この問題を克服するため、或いは少なくとも最小限に抑えるため、ある特許文献では、引き裂きテープの近くに、外ラッパーを構成するスリットをオーバーラップ材に作ることを教示している（例えば、特許文献１参照。）。これらのスリットは、外ラッパーを引き裂くにあたっての起点を構成している。外ラッパーを開くために引き裂きテープを用いた場合、テープがスリットに応力を加えることで、それに隣接するオーバーラップ材部分が引き裂かれることにもなる。スリットは、包装材料において、引き裂きテープから離れて延びる誘導線を作りだしてしまう。
【００１３】
しかしながら、これらのスリットは、時としてあまり効果的なものではなく、すべからくパッケージのシールや外観にマイナスの効果を及ぼしている。
【００１４】
また、ある特許文献では、引き裂きテープは、外ラッパーを構成する包装材と接触するように配置され、それに対し、包装されたパケットの周りで実質的に螺旋形状を付与するように配置されている（例えば、特許文献２及び３参照。）。このように配置した結果として、引き裂きテープを使用することでオーバーラップ材を確実に引き裂くことができ、引き裂かれた外ラッパーを、それに関連付けられたパッケージから容易に除去することが可能になる。
【００１５】
この解決策は、非常に有効であるが、美観上という点では明らかに魅力的なものではない。
【先行技術文献】
【特許文献】
【００１６】
【特許文献１】欧州特許第１８３９８４５号
【特許文献２】特開平０８−１６４９２６号公報
【特許文献３】特開平１１−３２１８８２号公報
【発明の概要】
【発明が解決しようとする課題】
【００１７】
本発明の目的は、従来技術を参照して説明した上記欠点のない喫煙用品のためのパッケージであって、特にタバコのためのパッケージを提供することにある。
【００１８】
本発明の別の目的は、従来技術を参照して説明した上記欠点のない喫煙用品のためのパッケージの製造方法であって、容易かつ比較的安価に実施する製造方法を提供することにある。
【課題を解決するための手段】
【００１９】
従って、本発明は、添付された特許請求の範囲に記載された喫煙用具のためのパッケージであって、特にタバコ用パッケージ、及びそのパッケージの製造方法を提供するものである。
【００２０】
本発明を、その非限定的な実施形態を示す添付図面を参照しながら、以下、説明する。
【図面の簡単な説明】
【００２１】
【図１ａ】本発明による喫煙用具用パッケージの３変形実施形態の１つを示した概略的斜視図である。
【図１ｂ】本発明による喫煙用具用パッケージの３変形実施形態の１つを示した概略的斜視図である。
【図１ｃ】本発明による喫煙用具用パッケージの３変形実施形態の１つを示した概略的斜視図である。
【図２】本発明による外ラッパーを獲得することが可能な包装材シートの２変形実施形態の１つを示した図である。
【図３】本発明による外ラッパーを獲得することが可能な包装材シートの２変形実施形態の１つを示した図である。
【図４】本発明によって作られた様々な引き裂き要素を接着した支持ウェブを示した図である。
【図５】本発明によって作られた様々な引き裂き要素を接着した支持ウェブを示した図である。
【図６】本発明によって作られた様々な引き裂き要素を接着した支持ウェブを示した図である。
【図７】本発明によるパッケージの製造システムをブロック図の形で概略的に示した図である。
【発明を実施するための形態】
【００２２】
図１、図１ｂ及び図１ｃを参照するに、参照番号１は全体としてタバコのパケット又はカートンであって、本発明に従って製造されたパッケージＣの一部を形成するものを示している。
【００２３】
特記しない限り、以下、説明の便宜上、タバコのパケット１を参照するものとする。
【００２４】
ここではパケット１は平行６面体の形状をした要素として概略的に示されてはいるが、その形状は本発明と関係ないため、それとは異なる形状をする場合もある。例えば、蓋や、は喫煙用具（タバコ）を含んだ箱状体のようなパケット１の詳細部についても、特にそれらの有無、形状及び相互の寸法は本発明の記述と関係ないため、ここでは図示していない。
【００２５】
パケット１は、例えば、タバコからなる図示しない喫煙用具を含んでおり、板紙などの紙ベースの材料で作られることが好ましい。その外側では、パケット１は、パケット１の外ラッパー３を構成する、例えばポリプロピレンのような透明なヒートシール材から作られるが好ましいシート２によって覆われる。シート２は、好ましくは、連続的又は間欠的に供給されるウェブ４からそれらを切断することによって次々と獲得される。
【００２６】
シート２も又、パケット１のようにパッケージＣの一部を成している。
【００２７】
ラッパー３の内側、或いは外側のどちらかにあるシート２の表面の一部分は引き裂き要素５に付いた状態にあり、それを使うことでラッパー３自体の実質的な部分を手で引き裂くことができる。引き裂きは、パケット１を使用開始するに先立ってユーザが容易にラッパー３を取り除くことを可能にする。
【００２８】
添付図面に示されるように、引き裂き要素５はシート２に結合したラベル６の形態で作られる。結合は、例えば不乾性の接着剤のような熱間で再封止可能な接着剤のような接着剤を使用して達成されることが好ましい。代替的なものとしては、例えばビニル接着剤のような冷間接着剤を使用することもある。
【００２９】
別の実施形態としては、ラベル６とシート２は、ヒートシールによって互いに結合されるかもしれない。
【００３０】
接着剤による接続の場合、ラベル６は、自己接着ラベルの形態をとること、即ち片面に接着剤を塗布したものであることが好ましい。
【００３１】
それらは、ウェブ４からシート２が切断された後においても、各シート２上に存在するような方法で、ウェブ４の所定の領域に次々と貼り付けられる。
【００３２】
ウェブ４に貼り付けられる前に、ラベル６は図４〜図６に示す支持ウェブ７に接続されることが好ましくは、これによりそれらは図示しない既知の方法で、ウェブ４に貼り付けられる領域へと搬送される。
【００３３】
或いは、ラベル６は、接着剤テープや部分的に粘着剤の付けたテープのロールから得られるかもしれない。このテープは、引き裂き要素５を形成するラベル６の獲得のために、好ましくは一定長さに切断されなければならない。
【００３４】
各ラベル６には、好ましくは実質的に中間領域に、手で摘めるようなプルタブ８を識別することができる端縁部又は側面６’がある。プルタブ８はシート２に接続されず、ラベル６はシート２に接着しており、以下に説明するようにラッパー３開放開始のために、ユーザによってシート２から離すことができ、容易に摘めることが好ましい。
【００３５】
図２の実施形態では、図示しないが、その内容から容易に推測できるパッケージＣに対応して、ラベル６は、シート２それ自体の両面のいずれかと接触して、シート２を形成するウェブ４部分に貼り付けられる。プルタブ８は、ウェブ４からシート２を分離することができる切断線１０’をほんの少し引き延ばして追従するように配置される。パッケージＣが完成した際には切断線１０’はパケット１の側壁Ｌの上にくる。
【００３６】
シート２の２つの部分では、プルタブ８の各側面に隣接してシート２それ自体を引き裂き始めるための要素が形成されることが好ましい。引き裂き開始要素は２つの切開部１１によって形成されることが好ましい。切開部１１は切断線１０’を横断する方向に走っている。好ましくは、切開部１１は夫々の貫通スリットによって形成される。
【００３７】
切開部１１の目的は、シート２を引き裂いてパッケージＣからそれを除去するためにプルタブ８を摘んで引っ張った際に、そのプルタブ８に続いてシート２を引き裂き開始するためにある。
【００３８】
より具体的には、包装材のシート２は、プルタブ８の近傍で収斂する少なくとも１つの切開部１１を有する。この構成では、切開部１１があることでシート２の引き裂きをプルタブ８からスタートさせることができ、ラベル６の表面積に少なくともサイズに等しいシート２部分を除去することが可能になる。
【００３９】
図３の実施形態では、図１ａのパッケージＣに対応し、ラベル６は、パケット１の外側においてシート２の面に接触した状態でシート２を形成するウェブ４部分に貼り付けられる。プルタブ８は、その一端縁部が折り線１０上に位置するように配置される。パッケージＣが完成した際にはその折り線１０は実質上、パケット１の端縁部に対応する。
【００４０】
シート２上には、ラベル６の下に位置し、それによって覆われる切開部１１’が存在する。切開部１１’はラベル６のプロフィール、即ち、その外周を倣うことが好ましい。具体的には、切開部１１’は、プルタブ８を形成するラベル６の上記端縁部６’に沿って走る。
【００４１】
好ましくは、切開部１１’は、プルタブ８を形成するラベル６の上記端縁部６に略平行な線に沿って走る。
【００４２】
好ましくは、切開部１１’は連続するスリットによって形成される。
【００４３】
好ましくは、切開部１１’を貫通スリットによって形成される。
【００４４】
有利なこととして、切開部１１’はパッケージＣのシールを保証するように、完全にラベル６によって覆われる。換言すれば、ラベル６は、それに沿ってラッパー３を開放することができかつ切開部１１’で形成されるようなラインを覆い密封する。
【００４５】
実際には、ウェブ４に貼り付けられる各ラベル６のために、切開部１１’が包装材からなるウェブ４上に作られる。切開部１１’の製造工程はラベル６の貼り付け工程よりも先であり、ラベル６貼り付け工程によって切開部１１’を完全にカバーすることにもなる。
【００４６】
図１ａ、１ｃ、２、３及び図４に示される例示的な実施形態では、プルタブ８を付けたラベル６の側面６’又は端縁部と、側面６’の反対側にある端縁部又は側面６”は共に同じ円弧形状であり、夫々の端部分はラベル６の真っ直ぐな辺によって２つ１組で接合される。同様に、端部分は本発明の範囲を限定することなく、別の方法で接合されるかもしれない。
【００４７】
図４は、図１ａ、図１ｃ、図２及び図３に示すタイプの複数ラベル６をその上に重ねた支持ウェブ７を示している。ラベル６は全て同じ形をしており、互いから隔てられることなく、即ち２つの連続したラベル６間に空白や余分な材料を介在させることなく互いに対して結合させている。
【００４８】
図示されていない実施形態において、ウェブ７それ自体は６複数ラベル７を構成している。より具体的には、連続して粘着性があるか、或いは部分的に粘着性のあるウェブが切断されて個々のラベル６を形成するかもしれない。
【００４９】
図７を参照するに、パケット１を包装することは、第１のロール１３からラベル貼り装置１５へと、連続した複数ラベル６を定めるウェブ７を供給し、第２のロール１４から包装材のウェブ４を供給し、夫々のラベル６が引き裂き要素５を定めるようなラベル６を、それらを定めるウェブ７から分離し、ラベル貼り装置１５を用いて包装材料ウェブ４に対して、連続的かつ等間隔にラベル６を、包装材シート２の長さと幅の一部分にわたって延びるウェブ４部分に貼り付け、ラベル６を備えた包装材ウェブ４を接断装置１６によって切断して、各引き裂き要素５を設け、喫煙用具の各パケット１周りに巻き付けられるように設計された、一連の包装材シート２を獲得し、包装材シート２を包装装置１８へと供給し、包装装置１８に、包装ユニット１７によって包装されるべき喫煙用具パケット１を供給し、そして包装装置１８を用いて各喫煙用具パケット１の周りに包装材シート２を巻き付けることからなる。複数のラベルを“定める”ウェブに関し、“定める”という用語は、本発明においては、「ウェブが、そこから取り外し可能なラベルの支持部として作用する可能性」、或いは「ウェブを粘着性がある長さ、或いは部分的に粘着性のある長さに切断することでウェブそれ自体からラベルを作る可能性」を意味するものとして使用されている。
【００５０】
ラベル６が、それらを支持するウェブ７から獲得される場合、各ラベルは、ウェブ７が送り出されている間、支持部から各ラベル６を取り外すか、或いはし剥がすことが可能なラベル貼り機によって供給されることが好ましい。仮に、各ラベルが間隔なしで並んで配置されるような場合、或いはラベルがゴミを排出しないタイプである場合、それらがシートに貼り付けられる前に、取り外されたラベル又は部分的に取り外されたラベルを移動させるために、ラベル貼り装置１５に別の装置が設けられるかもしれない。より具体的に言えば、ラベルを所望の方向に回転させるか、各ラベル６が包装材ウェブ４に貼り付つのを可能にする間隔をあけてそれらをセットするための中間ユニットを設けるようにしても良い。この中間ユニットは、ラベル貼り装置の一体部分であっても良く、或いはラベル貼り機の上流側に設けられるようにしても良い。
【００５１】
ラベル６は、粘着テープ又は部分的粘着テープのロールから獲得されても良い。その際、テープは所定サイズの長物に切断される。粘着テープ又は部分的粘着テープからなる各切断長物は、各パッケージＣの引き裂き要素５に対応するラベル６を形成する、このような場合にも又、上述したような中間ユニットを設けることも可能である。
【００５２】
図２を参照して図示及び説明した切開部１１は、ラベル６が貼られる前、或いは貼られた後に作るようにしても良い。好ましくは、処理時間を最小限に抑えるために、切開部１を切断装置１６で作るようにしても良く、つまり切断線１０’に沿ってウェブ４からシート２を分離する際に、同時に作られるようにしても良い。
【００５３】
仮にラベル６が包装材シート２の外側面に貼られるならば（図３）、ラベル６が貼られる前に切開部１１’が作られる。
【００５４】
図示しない実施形態では、パッケージＣが完成した後、即ち、パケット１が各包装材シート２の中に完全に包まれた際にラベル６を貼り付けるようにしても良い。この場合、切開部又はスリットは、包装工程中或いはラベル貼付工程時に作られるかもしれない。
【００５５】
図１ａに示されたパッケージＣの実施形態では、シート２は、これに接続されたラベル６がパケット１の大きな前壁Ｆに重畳されるように折り畳まれる。ラベル６は、その中央部分がパケット１の縦方向端縁部Ｓ１の中間部の近傍に位置し、その各端部が前壁Ｆそれ自体の上・下端縁部の近傍に夫々位置するように、配置される。ラベル６のプルタブ８は、ラベル６それ自体の中央部分において、パケット１の縦方向端縁部Ｓ１から側方に短く突出している。
【００５６】
図１ｃに示したパッケージＣの実施形態では、シート２は、これに接続されたラベル６がパケット１の大きな前壁Ｆに重畳されるように折り畳まれる。ラベル６は、その中央部分がパケット１の上部横方向端縁部Ｓ２の中間部の近傍に位置し、その各端部分がパケット１の各縦方向端縁部Ｓ１において下方に延びてパケット１それ自体の側壁Ｌの上に折り畳まれるように、配置される。ラベル６のプルタブ８は、ラベル６それ自体の中央部分において、パケット１の上部横方向端縁部Ｓ２から上方に短く突出している。
【００５７】
図１ｂに示すパッケージＣの実施形態では、ラベル６は実質的に二等辺三角形の形状になっており、第１の頂点は上部にあって、パケット１の上部横方向端縁部Ｓ２の位置ある。シート２は、これに接続されたラベル６がパケット１の大きな前壁Ｆに重畳されるように折り畳まれる。ラベル６のプルタブ８は、上述した第１の頂点からなり、ラベル６それ自体の中央部分において、パケット１の上部横方向端縁部Ｓ２から上方に短く突出している。
【００５８】
図１ａ及び図１ｂを参照して説明した実施形態では、ラベル６は、そのラベル６が貼り付けられるパッケージＣの壁面Ｆとほぼ同じ幅を有し、ラッパー３の壁面Ｆだけに付着する。
【００５９】
これらの場合、ラベル６は、ラベル６を引き裂く方向に対して横断する方向に沿ってラッパー３の大きな面上で実質上、端縁部から端縁部へと延びる。
【００６０】
他方、図１ｃの実施形態では、ラベル６は、対を成して隣接しているラッパー３の３壁面Ｆ、Ｌのみに付着する。図示しない本発明の更なる実施形態では、ラベル６はラッパー３の隣接する２壁面だけに付着する場合もあるだろう。
【００６１】
いずれにせよ、一般的に言えば、包装材シート２の一部分に貼り付けられる各ラベル６は、同じ包装材シート２の長さと幅の一部分にわたって延びる。言い換えれば、ラベル６は、包装材シート２の全高や全幅を覆わないようなサイズとなっている。
【００６２】
図５および図６では、ラベル６は実質的に多角形の形状をしている。具体的には、ラベル６は、図１ｂのように二等辺三角形の形状であり、プルタブ８は、三角形の頂点の１つからなるコーナー域と一致している。
【００６３】
図示しないが更なる実施形態では、ラベルは、包装材シート２に対する平面内幾何学図形に従って具現化されるかもしれない。プルタブの反対側にある各ラベルの辺や、プルタブの反対の位置にある最大幅の突起は、包装材シート２の少なくとも一つの引き裂き側を形成する。
【００６４】
ラベル６の形状は、それらの端縁部が、上述したコーナー域や接合域を除いて、その方向について急激な変化や突然の変動がないことが好ましい。
【００６５】
必要に応じて、上述のラベルは、それらについての有益なメッセージ又は広告メッセージを持つ場合もあることに留意されたい。例えば、これは図１ｂに示されており、そこではラベル６がグラフィック・シンボルを携えている。ラベルは又、画像やテキストを伴い任意の所望の形で着色を施したり印刷される場合もあり、ラベルが覆うところのパケット１部分のグラフィック的に再現する場合もある。或いは、ラベルを透明なものとして、パケット１の表面上に印刷されたテキストや画像が隠れないようにしても良い。
【００６６】
パッケージＣのラッパー３を開いて完全に取り除くためには、２本の指でラッパー３に接続されたラベル６のプルタブ８を摘み、引き裂き方向に沿ってタブ８を引っ張れば充分である。これは、プルタブ８を起点とするラベル６の延びの方向に相当する。
【００６７】
以上の記述は又、高い頻度でそれらを覆う保護上のオーバーラップ材料を除去するために、タバコのパケットのカートンに適用される。
【００６８】
完成したパッケージＣでは、添付図面において各ラッパー３の外側に向かって突出した状態で示されたプルタブは、折り畳まれ、パケット１の一方の壁に付着するように形で作られており、弛んだプルタブ８によって、パッケージＣの一群をカートンやパックに梱包する際に問題を発生しないようになっている。
【図１ａ】
0006367841.tif 000002
【図１ｂ】
0006367841.tif 000003
【図１ｃ】
0006367841.tif 000004
【図２】
0006367841.tif 000005
【図３】
0006367841.tif 000006
【図４】
0006367841.tif 000007
【図５】
0006367841.tif 000008
【図６】
0006367841.tif 000009
【図７】
0006367841.tif 000010